(57)【特許請求の範囲】
【請求項１】
流路切換部と該流路切換部を操作する電磁操作部とからなる電磁弁本体、及び、上記電磁操作部に給電するための給電装置、を備えた電磁弁において、
上記給電装置が、電磁弁本体の側面に設けられて上記電磁操作部に導通する受電用端子と、電磁弁本体の側面に取付けられて該受電用端子を覆う端子カバーと、該端子カバーの上記受電用端子と対応する位置に設けられたソケット装着孔と、給電線の先端に取り付けられて該ソケット装着孔内に装着された給電用ソケットとを有し、
上記給電用ソケットが、前面が開放する矩形の箱形をした端子収容箱と、該端子収容箱の開放する前面を塞ぐ蓋体とを有していて、これらの端子収容箱と蓋体との間に上記給電線の先端部と給電用端子とを介在させ、その状態でこれらの端子収容箱と蓋体とを相互に結合することによって上記給電用ソケットが一体に組み立てられ、この給電用ソケットを上記ソケット装着孔内に装着することによって上記給電用端子と上記受電用端子とが相互に電気接続されており、
上記ソケット装着孔を囲む複数の孔壁のうち少なくとも１つが弾性壁とされると共に、該弾性壁の内面にフック部が形成され、上記給電用ソケットの該弾性壁と相対する面には爪部が形成され、これらの爪部とフック部との弾力的な係合によって上記給電用ソケットが上記ソケット装着孔内に抜け止めされた状態に取り付けられている、
ことを特徴とする電磁弁。
【請求項２】
上記端子収容箱と蓋体とにおける給電線導入部の相対する位置にそれぞれ半円溝が形成され、これらの半円溝間に上記給電線が挟持されていることを特徴とする請求項１に記載の電磁弁。
【請求項３】
上記端子収容箱と蓋体とが、一方に形成した突部と他方に形成した係止窓との係止によって一体に結合されていることを特徴とする請求項１又は２に記載の電磁弁。
【請求項４】
上記端子収容箱が、弾性変形可能な左右の側壁と、これらの側壁に形成された複数の上記係止窓とを有し、上記蓋体は、上記左右の側壁間に弾力的に嵌め込まれていて、該蓋体の両側面に形成された複数の突部が上記係止窓に係止していることを特徴とする請求項３に記載の電磁弁。
【請求項５】
上記ソケット装着孔の互いに相対する２つの孔壁が上記弾性壁とされると共に、上記給電用ソケットにおける端子収容箱の背面と蓋体の背面とにそれぞれ上記爪部が形成されていることを特徴とする請求項１から４の何れかに記載の電磁弁。
【請求項６】
上記弾性壁は、上記ソケット装着孔の孔口側の端部を支点として孔奥側に向けて延び、該孔奥側の端部が上記給電用ソケットの爪部に接離する方向に弾性変形するように形成されていることを特徴とする請求項１から５の何れかに記載の電磁弁。
【請求項７】
上記ソケット装着孔の上端部を取り囲むように段部が形成され、また、上記給電用ソケットの上端部外周にはフランジ部が形成されていて、該給電用ソケットを上記ソケット装着孔に挿入したとき、これらのフランジ部が上記段部に当接、係止するように構成されていることを特徴とする請求項１から６の何れかに記載の電磁弁。
【発明の詳細な説明】
【技術分野】
【０００１】
本発明は、流体通路の切換えを行うための流路切換部と、該流路切換部を操作するための電磁操作部と、該電磁操作部に通電するための給電装置とを備えた電磁弁に関する。
【背景技術】
【０００２】
流体通路を切り換えるための弁体を有する流路切換部と、上記弁体を操作するための可動鉄心及び励磁コイルを有する電磁操作部と、上記励磁コイルに電流を供給するための給電装置とを備えた電磁弁は周知である。
例えば、特許文献１には、電磁弁の給電装置として、給電線の芯線の先端に管状端子を圧着により接続し、端子箱（給電用ソケット）の箱本体に形成されている端子収容孔内に上記環状端子及び給電線を挿入して上記給電用ソケットを組み立てることが記載されている。そして、この給電用ソケットを電磁弁の側面のソケット取付台に取り付けることにより、該ソケット取付台から突出するコイル端子に上記環状端子を嵌着させて給電線に導通させものである。
しかしながら、上記特許文献１を含む従来の給電装置においては、給電用ソケットが、通常、箱本体に形成されている孔や筒の中に端子や給電線を挿入して組み立てるため、手作業を必要とすることが多く、その場合の作業も比較的困難で、時間を要するという問題があった。
【０００３】
【特許文献１】実公昭６２−３９０９号公報
【発明の開示】
【発明が解決しようとする課題】
【０００４】
本発明の基本的な課題は、電磁操作部に給電するための給電装置の組立及び電磁弁への装着を簡単化することにある。
本発明の他の課題は、給電線及びそれに連結した給電用端子を、従来の給電装置のようにソケットに形成した孔や筒等に外部から挿入して取り付けることなく、端子収容箱と蓋体との間に挟持させて固定することにより、給電装置における給電用ソケットの組立及び電磁弁への接続を容易にすることにある。
【課題を解決するための手段】
【０００５】
上記課題を解決するため、本発明は、流路切換部と該流路切換部を操作する電磁操作部とからなる電磁弁本体、及び、上記電磁操作部に給電するための給電装置、を備えた電磁弁において、上記給電装置が、電磁弁本体の側面に設けられて上記電磁操作部に導通する受電用端子と、電磁弁本体の側面に取付けられて該受電用端子を覆う端子カバーと、該端子カバーの上記受電用端子と対応する位置に設けられたソケット装着孔と、給電線の先端に取り付けられて該ソケット装着孔内に装着された給電用ソケットとを有し、上記給電用ソケットが、前面が開放する矩形の箱形をした端子収容箱と、該端子収容箱の開放する前面を塞ぐ蓋体とを有していて、これらの端子収容箱と蓋体との間に上記給電線の先端部と給電用端子とを介在させ、その状態でこれらの端子収容箱と蓋体とを相互に結合することによって上記給電用ソケットが一体に組み立てられ、この給電用ソケットを上記ソケット装着孔内に装着することによって上記給電用端子と上記受電用端子とが相互に電気接続されており、上記ソケット装着孔を囲む複数の孔壁のうち少なくとも１つが弾性壁とされると共に、該弾性壁の内面にフック部が形成され、上記給電用ソケットの該弾性壁と相対する面には爪部が形成され、これらの爪部とフック部との弾力的な係合によって上記給電用ソケットが上記ソケット装着孔内に抜け止めされた状態に取り付けられていることを特徴とするものである。
【０００６】
本発明の好ましい実施形態によれば、上記端子収容箱と蓋体とにおける給電線導入部の相対する位置にそれぞれ半円溝が形成され、これらの半円溝間に上記給電線が挟持されている。
【０００７】
本発明においては、上記端子収容箱と蓋体とが、一方に形成した突部と他方に形成した係止窓との係止によって一体に結合されていることが望ましい。具体的には、上記端子収容箱が、弾性変形可能な左右の側壁と、これらの側壁に形成された複数の上記係止窓とを有し、上記蓋体は、上記左右の側壁間に弾力的に嵌め込まれていて、該蓋体の両側面に形成された複数の突部が上記係止窓に係止していることが望ましい。
【０００８】
また、本発明において好ましくは、上記ソケット装着孔の互いに相対する２つの孔壁が上記弾性壁とされると共に、上記給電用ソケットにおける端子収容箱の背面と蓋体の背面とにそれぞれ上記爪部が形成されていることである。
【０００９】
この場合に上記弾性壁は、上記ソケット装着孔の孔口側の端部を支点として孔奥側に向けて延び、該孔奥側の端部が上記給電用ソケットの爪部に接離する方向に弾性変形するように形成される。
【００１０】
また、本発明においては、上記ソケット装着孔の上端部を取り囲むように段部が形成され、また、上記給電用ソケットの上端部外周にはフランジ部が形成されていて、該給電用ソケットを上記ソケット装着孔に挿入したとき、これらのフランジ部が上記段部に当接、係止するように構成されていても良い。
【発明の効果】
【００１１】
上述した本発明の電磁弁においては、電磁操作部に給電するための給電装置の組立及び電磁弁への装着を簡単化することができる。特に、給電線及びそれに連結した給電用端子を、従来の給電装置のようにソケットに形成した孔や筒等に外部から挿入して取り付けることなく、端子収容箱と蓋体との間に挟持させて固定することにより、給電装置における給電用ソケットの組立及び電磁弁への接続を容易に行うことができる。
【発明を実施するための最良の形態】
【００１２】
以下、本発明の実施例を図面に基づいて説明する。
図１において、本発明に係る電磁弁は、大きく分けると、３ポート式方向切換弁として構成された流路切換部２及びこの流路切換部を操作する電磁操作部３を備えた電磁弁本体１と、上記電磁操作部３に給電するための給電装置４とで構成されている。
上記流路切換部２は、実質的に四角いブロックからなる弁ボディ１０を有し、この弁ボディ１０の第１側面１０ａに供給ポートＰ、出力ポートＡ、排出ポートＲが形成されている。また、上記弁ボディ１０には、電磁操作部３を連結した端面とは反対側の端面１０ｃから該弁ボディ１０の内部に向けて、弁室１３を形成する円形の孔１３ａが設けられ、この孔１３ａに弁座ブロック１１が装着され、この弁座ブロック１１が、上記端面１０ｃに取付けられた固定板１２によって上記孔１３ａ内に固定されている。また、上記弁座ブロック１１で上記孔１３ａ内に区画された弁室１３内には、ポペット式の弁体１４が該孔１３ａの軸線方向に往復移動可能に配設されている。
【００１３】
上記弁座ブロック１１には、供給ポートＰと弁室１３とを連通させる供給側通路１５が形成されている。一方、上記弁ボディ１０には、排出ポートＲと弁室１３とを連通させる排出側通路１６が形成されている。そして、上記供給側通路１５の開口の回りの供給弁座１５ａと、排出側通路１６の開口の回りの排出弁座１６ａとは、上記弁室１３内の相対する位置を占め、これらの弁座間に上記弁体１４が介在している。該弁体１４は、環状の弁ホルダー１７に保持され、該弁ホルダー１７と後述の可動鉄心２４との間に複数個のプッシュロッド１８が、該可動鉄心２４と共に往復動可能な状態に配設されている。そして、上記供給弁座１５ａの周囲の環状溝と弁体１４との間には、弁ばね１９が介装され、該弁ばね１９の弾発力により弁体１４が上記排出弁座１６ａに向けて付勢されている。
【００１４】
上記電磁操作部３の円形又は角形の断面形状を有する一端開放形の中空の磁気カバー２１の内部には、環状のボビン２５が収容され、該ボビン２５にはコイル２６が巻回され、該コイル２６の両端は、該ボビン２５から互いに並行に突出して弁ボディ１０の端子受容孔３３内に嵌入する一対のコイル端子２７に接続されている。図１には、コイル２６の一端に接続された一つのコイル端子が示されていて、他方のコイル端子とそれに関連する給電用部材は図示されていない。上記ボビン２５の内孔２８には、磁気カバー２１の端壁部２１ａに接触するように固定鉄心２９が配設されると共に、該固定鉄心２９に磁気吸着される可動鉄心２４が変移自在に配設されている。
【００１５】
また、上記磁気カバー２１の内部には、上記ボビン２５と弁ボディ１０との間に磁気プレート３０が介装され、この磁気プレート３０の外周が上記磁気カバー２１の内面に当接せしめられており、これによってこれらの磁気カバー２１と磁気プレート３０とが相互に磁気結合されている。上記磁気プレート３０の内孔はボビン２５の内孔２８と略同径である。
上記可動鉄心２４の先端部には、環状の合成樹脂製キャップ３１が固定され、該キャップ３１の先端のフランジ状のばね座と上記磁気プレート３０の環状溝との間に復帰ばね３２が介装されている。
上記流路切換部２と電磁操作部３とは、該磁気カバー２１の一部に形成された係止部２１ｂをかしめて弁ボディ１０の凹部に係止させることにより、相互に連結されている。
【００１６】
図１はコイル２６が非励磁の状態を示している。この状態では、弁ばね１９よりもばね力の強い復帰ばね３２が、該弁ばね１９の付勢力に抗して可動鉄心２４を弁ボディ１０側に向けて付勢するため、この付勢力がプッシュロッド１８、弁ホルダー１７を介して弁体１４に伝達され、該弁体１４は、弁座ブロック１１の供給弁座１５ａに当接して該供給弁座１５ａを閉鎖すると共に、排出弁座１６ａを開放する。このため、供給ポートＰと弁室１３との連通が遮断され、出力ポートＡと排出ポートＲとが連通する。
上記コイル２６が通電により励磁されると、上記固定鉄心２９に磁気吸引力が発生し、この吸引力により可動鉄心２４が固定鉄心２９に吸着されるため、上記弁体１４が供給弁座１５ａを開放して排出弁座１６ａを閉鎖する。このため、排出ポートＲと弁室１３との連通が遮断され、供給ポートＰと出力ポートＡとが連通する。
【００１７】
図１において、上記弁ボディ１０のポートＰ，Ａ，Ｒが形成された上記第１側面１０ａの反対側にある第２側面１０ｂには、電磁操作部３寄りの位置に、該第２側面１０ｂから外方に向けて突出する四角形で中空の端子収容部３５が、該弁ボディ１０と一体に形成されている。この端子収容部３５は、上記第２側面１０ｂと平行に延びる上記コイル端子２７の先端部と対応する位置に形成されていて、その内部に各コイル端子２７の位置まで達する２つの中空部３５ａを備えている。各中空部３５ａ内には、それぞれ第１中継端子３７が収容され、これらの第１中継端子３７と上記各コイル端子２７とがそれぞれ電気的に接続されている。
また、上記弁ボディ１０の第２側面１０ｂと電磁操作部３の側面３ａとは、上記端子収容部３５以外は外部に大きく突出する部分を持たない実質的に平らか又は平らに近い一つの面となっていて、この面によって電磁弁本体１の側面に、端子台取付面１ａが形成されている。そして、この端子台取付面１ａに端子台４０が配設され、この端子台４０上に基板４１が装着され、さらにこれらの端子台４０と基板４１とを覆う端子カバー４２が電磁弁本体１に取付けられている。
【００１８】
上記基板４１には、先端が該基板４１の上面に突出する２つの受電用端子３８，３８が固定され、各受電用端子３８の先端は、上記端子カバー４２の中央部近くの位置で該端子カバー４２の上面に開口する矩形のソケット装着孔７０の内底部に位置し、該ソケット装着孔７０に装着された給電用ソケット４５内の２つの給電用端子３６，３６にそれぞれプラグイン式に電気接続されている。また、上記基板４１には、先端が上記弁ボディ１０側に向けて下向きに突出する２つの第２中継端子３９，３９が固定され、各第２中継端子３９は、上記端子収容部３５内の第１中継端子３７にそれぞれ電気的に接続されている。この第２中継端子３９は、上記基板４１を端子台４０に端子台取付面１ａと平行に取付けたとき、その先端部が上記第１中継端子３７にプラグイン式に接続される。また、上記基板４１には、通電制御に必要な電子部品が固定され、それらの電子部品を介して上記受電用端子３８と第２中継端子３９とが相互に電気接続されている。
図１及び図５から分かるように、上記端子カバー４２は、流路切換部２と電磁操作部３とに跨る大きさを有していて、上記端子台取付面１ａ全体を覆っており、カバー固定ねじ４３で弁ボディ１０に固定されている。また、該端子カバー４２と端子台４０と弁ボディ１０とに設けられた通孔には２つの電磁弁取付ねじ４４が挿通され、該電磁弁取付ねじ４４によって電磁弁がマニホールド等に取り付けられるようになっている。
【００１９】
次に、図１〜図６を参酌して、上記ソケット装着孔７０に挿着する上記給電用ソケット４５について説明する。
図２において、上記給電用ソケット４５は、前面が開放する矩形の箱形をした端子収容箱４７及び該端子収容箱４７の開放する前面を塞ぐ矩形の蓋体４８からなる分割式のハウジング４６と、該ハウジング４６内に収容されて給電線４９がそれぞれ接続された２つの給電用端子３６，３６とで構成されている。上記給電線４９の先端は、給電用端子３６の基端部の抱持腕３６ａに挟持され、該給電線４９の導電用の芯線５０は、該抱持腕３６ａに隣接する位置で給電用端子３６の芯線挟持部３６ｂに電気接続されている。また、上記給電用端子３６の先端部における一方の側面即ち上記端子収容箱４７側を向く側面には、略円筒状をした弾性クリップからなる端子接続部３６ｃが一体に設けられ、他方の側面即ち上記蓋体４８側を向く側面には、該給電用端子の基端部側に向けて斜めに突出する係止片３６ｄが一体に形成されている。そして、上記蓋体４８の内面４８ａには、図４に示されているように、上記係止片３６ｄが係止する係止用段部４８ｂが形成され、該係止用段部４８ｂへの係止片３６ｄの係止により、上記給電用端子３６のハウジング４６からの抜け出しが防止されている。
【００２０】
上記端子収容箱４７は、その内部に隣接して位置する凹溝状をした２つの端子用収容室５４，５４を有し、上下方向に延びるこれらの収容室５４内に、給電線４９が接続された上記給電用端子３６がそれぞれ係止状態で収容されている。また、上記各収容室５４の底部には、端子用挿通孔７７がそれぞれ形成され、この挿通孔７７から上記受電用端子３８が収容室５４内に挿入されることにより、該受電用端子３８が給電用端子３６の上記端子接続部３６ｃにプラグイン式に電気接続されている。
一方、上記端子収容箱４７及び蓋体４８の上端の互いに相対する位置には、給電線４９が嵌合する２つの半円溝５５ａ，５５ａ及び６１ａ，６１ａをそれぞれ備えたガイド部５５及び６１が一体に形成され、相対する半円溝５５ａと６１ａとの間に上記給電線４９の先端部が嵌合、挟持されている。
図２に示されているように、上記端子収容箱４７の左右の側壁５８の上下位置には、２個の係止窓５９，５９が形成され、これに対して蓋体４８の左右の側面６２の上下位置には、上記端子収容箱４７の係止窓５９に弾性的に係止する２個の突部６３（一側面の突部６３のみ図示）が突設され、これらの係止窓５９と突部６３とによって上記端子収容箱４７と蓋体４８とを組立状態に係止させるための係止機構が構成されている。
【００２１】
上記ハウジング４６に、給電線４９を接続した２つの上記給電用端子３６，３６を取付けるときは、先ず、これらの給電用端子３６を上記端子収容箱４７の収容室５４内に収容し、給電線４９を各半円溝５５ａにそれぞれ嵌合させる。次に、上記端子収容箱４７の開口部側において両側壁５８，５８間に蓋体４８の左右の側面６２を嵌合させ、該蓋体４８を端子収容箱４７の内側に向けて強く押し込む。すると、端子収容箱４７の側壁５８と蓋体４８の側面６２とが弾性変形し、蓋体４８の突部６３が側壁５８の内面に接触しながら移動し、４個の突部６３が４個の係止窓５９に係止されるに至る。
こうして、端子収容箱４７と蓋体４８との間に上記給電線４９及び給電用端子３６を挟着固定した状態で、端子カバー４２のソケット装着孔７０に挿着するための上記ハウジング４６が組み立てられる。
なお、上記突部６３を端子収容箱４７の側壁５８に設け、係止窓５９を蓋体４８の側面６２に設けても良い。
【００２２】
上記蓋体４８の背面６４の上下位置には、該背面６４から一定の高さ盛り上がった突出部６５と第１爪部６６とが形成され、これらの突出部６５と第１爪部６６との間に凹部６６ａが形成されており、また、端子収容箱４７の両側壁５８の下端部外面には、第２爪部６７が一体に突設されている。
【００２３】
これに対し、図４に示されているように、上記端子カバー４２に形成された矩形のソケット装着孔７０の４つの孔壁のうち、上記ハウジング４６の蓋体４８の背面６４と対面する孔壁は、第１弾性壁７４となっていて、孔口側の端部である上端部を支点として孔奥方向に延在し、該孔奥側の下端部が上記蓋体４８に接離する方向に弾性変形可能なるように形成され、該第１弾性壁７４の下端部に、孔の内側即ち上記蓋体４８側に向けて突出する第１フック部７１が形成されている。また、図３に示されているように、上記第１弾性壁７４と直交する２つの孔壁、即ち、上記端子収容箱４７の両側壁５８，５８と対面する２つの孔壁も、上記第１弾性壁７４と同様に弾性変形可能な第２弾性壁７６，７６となっていて、これらの第２弾性壁７６の下部にそれぞれ、孔の内側に向けて突出する第２フック部７５が形成されている。
【００２４】
上記構成を有する給電用ソケット４５をソケット装着孔７０に装着するときは、ハウジング４６における蓋体４８の背面６４をソケット装着孔７０の第１弾性壁７４に対向させる（図４及び図５参照）と共に、端子収容箱４７の側壁５８をソケット装着孔７０の第２弾性壁７６に対向させ（図３及び図５参照）、その状態で該給電用ソケット４５を上記ソケット装着孔７０に挿入する。すると、蓋体４８の背面６４の第１爪部６６が、上記第１弾性壁７４の第１フック部７１を押圧して該第１弾性壁７４を外側に弾性変形させると共に、端子収容箱４７の側壁５８の第２爪部６７が、上記第２弾性壁７６の第２フック部７５を押圧して該第２弾性壁７６を外側に弾性変形させることにより、該給電用ソケット４５は、上記第１爪部６６及び第２爪部６７がそれぞれ上記第１フック部７１及び第２フック部７５を乗り越えてそれらの下面に係止する位置まで押し込まれ、これらの爪部６６，６７とフック部７１，７５との係止によってその位置に固定される。
従って、ソケット装着孔７０の孔壁に形成された上記第１フック部７１及び第２フック部７５と、ハウジング４６に形成された上記第１爪部６６及び第２爪部６７とは、上記給電用ソケット４５をソケット装着孔７０に係止させるためのソケット係止機構を構成するものである。
なお、上記第１爪部６６と第１フック部７１、及び第２爪部６７と第２フック部７５とは、必ずしもそれらを両方とも設ける必要はなく、いずれか一方の組だけを設けることができる。
【００２５】
また、端子カバー４２の上面の上記ソケット装着孔７０の周囲には、該上面から上方に突出する突枠７２が一体に形成され、該突枠７２の内周には、上記ソケット装着孔７０の上端部を取り囲むように段部７３が形成されている。一方、上記給電用ソケット４５の上端部外周には、上記端子収容箱４７と蓋体４８とに跨るようにフランジ部５７，６０が形成され、該給電用ソケット４５を上記ソケット装着孔７０に挿入したとき、これらのフランジ部５７及び６０が上記段部７３に当接、係止するようになっている。そして、この状態で上記爪部６６，６７がフック部７１，７５に係止することにより該給電用ソケット４５の抜け出しが防止されている。こうして該給電用ソケット４５がソケット装着孔７０に挿着され、この挿着により該給電用ソケット４５内の給電用端子３６が基板４１の受電用端子３８に接続、導通される。
なお、図中７８は基板４１の溝に挿通される位置決め板である。
【００２６】
上記給電用ソケット４５は、それを一旦ソケット装着孔７０に装着すると、通常は該ソケット装着孔７０から抜き取ることができない。しかし、上記端子カバー４２を電磁弁本体１から取り外し、その下面側から、ドライバー等の工具で各弾性壁７４，７６を変形させてフック部７１，７５を爪部６６，６７から外すことにより、抜き取ることは可能である。
【００２７】
図７〜図９は、給電装置の第２実施形態を示すもので、この第２実施形態の給電装置４Ａが上記第１実施形態の給電装置４と異なる主要な特徴点は、第１実施形態の給電装置４では、給電用ソケット４５のハウジング４６を構成する蓋体４８の背面６４と端子収容箱４７の左右両側壁５８との３つの面に爪部６６，６７が形成されると共に、ソケット装着孔７０の３つの孔壁がフック部７１，７５を有する弾性壁７４，７６となっていて、これらの爪部６６，６７とフック部７１，７５との係止によって上記給電用ソケット４５がソケット装着孔７０に３面で係止しているのに対し、この第２実施形態の給電装置４Ａにおいては、給電用ソケット４５が、ハウジング４６を構成する端子収容箱４７の背面と蓋体４８の背面との２面においてソケット装着孔７０に係止しているという点である。
【００２８】
即ち、上記蓋体４８の背面６４には、その下端部の位置に２つの第１爪部６６が相互間に間隔をおいて横並び状態に形成されると共に、これらの第１爪部６６の上方位置にそれぞれ２つの突出部６５が形成されていて、上下の突出部６５と第１爪部６６との間は凹部６６ａとなっている。また、上記端子収容箱４７の背面にもそれと同様に、その下端部の位置に２つの第３爪部６８が相互間に間隔をおいて横並び状態に形成されると共に、これらの第３爪部６８の上方位置にそれぞれ突出部６９が形成されていて、各第３爪部６８と突出部６９との間は凹部６８ａとなっている。
【００２９】
これに対し、端子カバー４２のソケット装着孔７０においては、この装着孔を取り囲む４つの孔壁のうち、相対する２つの孔壁、即ち、上記給電用ソケット４５の蓋体４８の背面６４側に位置する孔壁と、端子収容箱４７の背面側に位置する孔壁とが、それぞれ第１弾性壁７４及び第３弾性壁７９となっていて、それらの下端にそれぞれ第１フック部７１と第３フック部８０とが設けられている。
【００３０】
そして、給電用ソケット４５を上記ソケット装着孔７０内に押し込むと、上記第１弾性壁７４及び第３弾性壁７０の下端の第１フック部７１及び第３フック部８０が、上記第１爪部６６及び第３爪部６８によって一旦弾力的に押し広げられたあと、上記凹部６６ａ，６８ａ内に弾力的に嵌合してこれらの第１爪部６６及び第３爪部６８の下端に係止し、それによって該給電用ソケット４５が上記ソケット装着孔７０内に係止状態で取り付けられるものである。
この第２実施形態における給電用ソケット４５及び端子カバー４２の上記以外の構成については、第１実施形態の給電用ソケット４５及び端子カバー４２と実質的に同じであるため、それらの主要な同一構成部分に第１実施形態のものと同じ符号を付してその説明は省略する。
【００３１】
なお、上記給電用ソケット４５は、上記各実施形態に示すように複数面でソケット装着孔７０に係止させることなく、何れか１つの面で係止させることもできる。即ち、ソケット装着孔７０の孔壁の何れか１つを弾性壁としてフック部を形成し、この弾性壁に対面する給電用ソケット４５の外面に爪部を形成しても良い。
【図面の簡単な説明】
【００３２】
【図１】本発明の第１実施形態を示す縦断側断面図である。
【図２】給電用ソケットを分解して示す斜視図である。
【図３】図１のＡ−Ａ線での要部拡大断面図である。
【図４】図１の要部拡大断面図である。
【図５】給電用ソケットを組み立てる前の、未だ端子カバーの挿着孔に装着されていない状態を示す斜視図である。
【図６】給電用ソケットを組み立てて端子カバーの挿着孔に装着した状態を示す斜視図である。
【図７】本発明の第２実施形態を示す図４と同様位置での断面図である。
【図８】第２実施形態の給電用ソケットを分解して蓋体側から見た斜視図である。
【図９】第２実施形態の給電用ソケットを分解して端子収容箱側から見た斜視図である。
【符号の説明】
【００３３】
１    電磁弁本体
２    流路切換部
３    電磁操作部
４，４Ａ    給電装置
３６    給電用端子
３８    受電用端子
４２    端子カバー
４５    給電用ソケット
４７    端子収容箱
４８    蓋体
４９    給電線
５５ａ    半円溝
５７，６０    フランジ部
５８    側壁
５９    係止窓
６２    側面
６３    突部
６４    背面
６６，６７，６８    爪部
７０    ソケット装着孔
７１，７５，８０    フック部
７４，７６，７９    弾性壁
【図１】
0004547682.tif 000002
【図２】
0004547682.tif 000003
【図３】
0004547682.tif 000004
【図４】
0004547682.tif 000005
【図５】
0004547682.tif 000006
【図６】
0004547682.tif 000007
【図７】
0004547682.tif 000008
【図８】
0004547682.tif 000009
【図９】
0004547682.tif 000010